(57)【要約】【課題】商品又はサービスを企画する際の支援を行うにあたり、複数の組織又は個人の知識その他の情報を効率的に活用することにより、魅力的な商品又はサービスを企画することが容易になる企画支援装置及びヘルスケア企画支援システムを提供することを課題とする。【解決手段】記憶部１２と、要素情報を取得して前記記憶部１２に記憶する要素情報取得手段と、商品又はサービスの企画に活用する目的で、前記記憶部１２に記憶されている少なくとも一部の要素情報を、企画者に提供する活用情報提供手段と、企画者が一又は複数の要素情報に基づいて企画された商品若しくはサービス又はこれらの組合せの情報である企画情報を取得して前記記憶部１２に記憶する企画情報取得手段とを備えた。【選択図】図４
2019012421.tif 000002
【特許請求の範囲】
【請求項１】
商品又はサービスを企画する際に支援を行う企画支援装置であって、
記憶部と、
地域の資源、産品、技術、伝統、イベント、文化、人材、問題又は事業の情報である要素情報を、提供者の情報端末からネットワークを介して取得するか、或いは提供者の入力手段による入力によって取得して前記記憶部に記憶する要素情報取得手段と、
商品又はサービスの企画に活用する目的で、前記記憶部に記憶されている少なくとも一部の要素情報を、該企画を行う企画者の情報端末にネットワークを介して提供するか、或いは出力手段による該企画者への出力によって提供する活用情報提供手段と、
企画者が一又は複数の要素情報に基づいて企画された商品若しくはサービス又はこれらの組合せの情報である企画情報を、該企画者の情報端末からネットワークを介して取得するか、或いは企画者の入力手段による入力によって取得して前記記憶部に記憶する企画情報取得手段とを備えた
ことを特徴とする企画支援装置。
【請求項２】
前記記憶部に記憶されている少なくとも一部の企画情報を、利用者の情報端末にネットワークを介して提供するか、或いは出力手段による該利用者への出力によって提供する企画情報提供手段をさらに備えた
請求項１に記載の企画支援装置。
【請求項３】
前記活用情報提供手段は、前記記憶部に記憶された複数の企画情報を、企画者の情報端末にネットワークを介して提供するか、或いは出力手段による該企画者への出力によって提供するように構成され、
前記企画情報取得手段は、前記記憶部に記憶された複数の企画情報を組合せて企画された商品若しくはサービス又はこれらの組合せの情報を、一の企画情報として、該企画を行った企画者の情報端末からネットワークを介して取得するか、或いは該企画者の入力手段による入力によって取得することも可能に構成された
請求項１又は２の何れかに記載の企画支援装置。
【請求項４】
前記活用情報提供手段は、前記記憶部に記憶された少なくとも一の企画情報を、企画者の情報端末にネットワークを介して提供するか、或いは出力手段による該企画者への出力によって提供するように構成され、
前記企画情報取得手段は、前記記憶部に記憶された既存の企画情報に、該企画情報には含まれていない新たな要素情報を加えて企画された商品若しくはサービス又はこれらの組合せの情報を、一の企画情報として、該企画を行った企画者の情報端末からネットワークを介して取得するか、或いは該企画者の入力手段による入力によって取得することも可能に構成された
請求項１乃至３の何れかに記載の企画支援装置。
【請求項５】
前記記憶部に記憶されている複数の要素情報同士をマッチングするマッチング手段をさらに備えた
請求項１乃至４の何れかに記載の企画支援装置。
【請求項６】
前記活用情報提供手段は、上記マッチング手段によるマッチングの情報を、企画者の情報端末にネットワークを介して提供するか、或いは出力手段による該企画者への出力によって提供するように構成された
請求項５に記載の企画支援装置。
【請求項７】
ヘルスケア関連の商品又はサービスを企画する際に支援を行うヘルスケア企画支援システムであって、
企画支援サーバと、
地域の資源、産品、技術、伝統、イベント、文化、人材、問題又は事業の情報である要素情報を提供する提供者の情報端末と、
企画を行う企画者の情報端末とを備え、
前記企画支援サーバは、記憶部と、要素情報を提供者の情報端末からネットワークを介して取得する要素情報取得手段と、ヘルスケア関連の商品又はサービスの企画に活用する目的で、前記記憶部に記憶されている少なくとも一部の要素情報を、該企画を行う企画者の情報端末にネットワークを介して提供する活用情報提供手段と、企画者が一又は複数の要素情報に基づいて企画されたヘルスケア関連の商品若しくはサービス又はこれらの組合せの情報である企画情報を、該企画者の情報端末からネットワークを介して取得する企画情報取得手段とを有する
ことを特徴とするヘルスケア企画支援システム。
【発明の詳細な説明】
【技術分野】
【０００１】
本発明は、商品又はサービスを企画する際に支援を行う企画支援装置及びヘルスケア企画支援システムに関する。
【背景技術】
【０００２】
商品又はサービスを企画する際に支援を行う種々の企画支援装置及びそのシステムが公知になっている。例えば、潜在ニーズに基づいて商品コンセプトを把握することにより、商品を企画する際の支援を行う特許文献１に示すものや、商品の加工コストや加工期間を考慮して、商品を企画する際の支援を行う特許文献２に示すものが公知になっている。
【０００３】
これらの特許文献１，２に示されたものによれば、商品又はサービスの企画を行う際の手助けにはなると考えられるが、企画された商品又はサービスの魅力が該企画を行った一個人又は一組織の企画力に左右されることに変わりはなく、複数の組織又は個人の知識その他の情報を効率的に活用することにより、魅力的な商品又はサービスを企画するまでには至っていない。
【先行技術文献】
【特許文献】
【０００４】
【特許文献１】特開２００１−３０６７８３号公報
【特許文献２】特開２００７−１７２１８８号公報
【発明の概要】
【発明が解決しようとする課題】
【０００５】
本発明は、商品又はサービスを企画する際の支援を行うにあたり、複数の組織又は個人の知識その他の情報を効率的に活用することにより、魅力的な商品又はサービスを企画することが容易になる企画支援装置及びヘルスケア企画支援システムを提供することを課題とする。
【課題を解決するための手段】
【０００６】
上記課題を解決するため、本発明の企画支援装置は、商品又はサービスを企画する際に支援を行う企画支援装置であって、記憶部と、地域の資源、産品、技術、伝統、イベント、文化、人材、問題又は事業の情報である要素情報を、提供者の情報端末からネットワークを介して取得するか、或いは提供者の入力手段による入力によって取得して前記記憶部に記憶する要素情報取得手段と、商品又はサービスの企画に活用する目的で、前記記憶部に記憶されている少なくとも一部の要素情報を、該企画を行う企画者の情報端末にネットワークを介して提供するか、或いは出力手段による該企画者への出力によって提供する活用情報提供手段と、企画者が一又は複数の要素情報に基づいて企画された商品若しくはサービス又はこれらの組合せの情報である企画情報を、該企画者の情報端末からネットワークを介して取得するか、或いは企画者の入力手段による入力によって取得して前記記憶部に記憶する企画情報取得手段とを備えたことを特徴とする。
【０００７】
前記記憶部に記憶されている少なくとも一部の企画情報を、利用者の情報端末にネットワークを介して提供するか、或いは出力手段による該利用者への出力によって提供する企画情報提供手段をさらに備えたものとしてもよい。
【０００８】
前記活用情報提供手段は、前記記憶部に記憶された複数の企画情報を、企画者の情報端末にネットワークを介して提供するか、或いは出力手段による該企画者への出力によって提供するように構成され、前記企画情報取得手段は、前記記憶部に記憶された複数の企画情報を組合せて企画された商品若しくはサービス又はこれらの組合せの情報を、一の企画情報として、該企画を行った企画者の情報端末からネットワークを介して取得するか、或いは該企画者の入力手段による入力によって取得することも可能に構成されたものとしてもよい。
【０００９】
前記活用情報提供手段は、前記記憶部に記憶された少なくとも一の企画情報を、企画者の情報端末にネットワークを介して提供するか、或いは出力手段による該企画者への出力によって提供するように構成され、前記企画情報取得手段は、前記記憶部に記憶された既存の企画情報に、該企画情報には含まれていない新たな要素情報を加えて企画された商品若しくはサービス又はこれらの組合せの情報を、一の企画情報として、該企画を行った企画者の情報端末からネットワークを介して取得するか、或いは該企画者の入力手段による入力によって取得することも可能に構成されたものとしてもよい。
【００１０】
前記記憶部に記憶されている複数の要素情報同士をマッチングするマッチング手段をさらに備えたものとしてもよい。
【００１１】
前記活用情報提供手段は、上記マッチング手段によるマッチングの情報を、企画者の情報端末にネットワークを介して提供するか、或いは出力手段による該企画者への出力によって提供するように構成されたものとしてもよい。
【００１２】
一方、本発明のヘルスケア企画支援システムは、ヘルスケア関連の商品又はサービスを企画する際に支援を行うヘルスケア企画支援システムであって、企画支援サーバと、地域の資源、産品、技術、伝統、イベント、文化、人材、問題又は事業の情報である要素情報を提供する提供者の情報端末と、企画を行う企画者の情報端末とを備え、前記企画支援サーバは、記憶部と、要素情報を提供者の情報端末からネットワークを介して取得する要素情報取得手段と、ヘルスケア関連の商品又はサービスの企画に活用する目的で、前記記憶部に記憶されている少なくとも一部の要素情報を、該企画を行う企画者の情報端末にネットワークを介して提供する活用情報提供手段と、企画者が一又は複数の要素情報に基づいて企画されたヘルスケア関連の商品若しくはサービス又はこれらの組合せの情報である企画情報を、該企画者の情報端末からネットワークを介して取得する企画情報取得手段とを有することを特徴とする。
【発明の効果】
【００１３】
本発明によれば、商品又はサービスを企画する際の支援を行うにあたり、複数の組織又は個人の知識その他の情報を効率的に活用することにより、魅力的な商品又はサービスを企画することが容易になる。
【図面の簡単な説明】
【００１４】
【図１】本発明を適用した企画支援システムの概念図である。
【図２】企画支援サーバの構成を示すブロック図である。
【図３】記憶装置のデータ構造を概念的に説明する説明図である。
【図４】本企画支援システムの処理内容を示すフロー図である。
【図５】別実施形態に係る企画支援サーバの記憶装置のデータ構造を概念的に説明する説明図である。
【図６】別実施形態に係る企画支援システムの処理内容を示すフロー図である。
【発明を実施するための形態】
【００１５】
図１は、本発明を適用した企画支援システムの概念図である。企画支援システムは、情報処理システムの一種であり、商品又はサービスの企画を支援するものである。
【００１６】
具体的には、地域の資源、産品、技術、伝統、イベント、文化、人材、問題又は事業の情報を、要素情報として、様々な提供者から提供して貰い、このようにして集約された要素情報を企画者に利用させることにより、商品若しくはサービス又はこれらを組合せた魅力的な企画を行うことを支援するものである。
【００１７】
このようにして生み出された商品若しくはサービス又はこれらの組合せの企画は、利用者に利用して貰い、この利用者に実際の開発や、製造や、販売を行って貰う。
【００１８】
なお、本企画支援システムへの参加を希望する者は、予めユーザ登録を行う。この企画支援システムに登録されたユーザは、自分自身の意思で、提供者と企画者と利用者の何れにもなることが可能である。さらに、ユーザは、提供者、企画者又は利用者の内の全ての者になることも可能であり、これらの内から選択した２つの者になることも可能である。
【００１９】
上記のような企画支援の目的を達成するため、本企画支援システムは、企画支援サーバ（企画支援装置，情報処理装置）１と、該企画支援サーバ１とインタネット等のグローバルなネットワーク２を介して接続された複数の情報端末３とを備えている。
【００２０】
情報端末３は、ノートパソコンや、スマートフォンその他の携帯電話や、タブレット等から構成され、ネットワーク２を介して、企画支援サーバ１と相互通信を行う。一の情報端末３は提供者が利用する提供者情報端末３Ａであり、その他の一の情報端末３は企画者が利用する企画者情報端末３Ｂであり、その他の一の情報端末３は利用者が利用する利用者情報端末３Ｃである。
【００２１】
図２は、企画支援サーバの構成を示すブロック図である。企画支援サーバ１は、例えば、ＡＴ互換機と呼ばれるコンピュータであり、ＣＰＵ及びＲＡＭ等から構成され且つ各種プログラムを実行する制御部１１と、各種情報を記憶する記憶装置（記憶部）１２と、情報の入力を受付ける入力手段１３と、情報の出力を行う出力手段１４と、ネットワーク２を介した通信を行うネットワークインターフェース等の通信手段１５を備えている。
【００２２】
入力手段１３はキーボードやマウスやタッチパネル等から構成される。出力手段１４はモニタや、スピーカ等から構成される。
【００２３】
図３は、記憶装置のデータ構造を概念的に説明する説明図である。この記憶装置１２には、ＳＱＬやＯｒａｃｌｅ等のリレーショナブルデータベースが構築されている。該記憶装置１２には、ユーザ情報テーブル（ユーザ情報格納部）１２１と、要素情報テーブル（要素情報格納部）１２２と、企画情報テーブル（企画情報格納部）１２３と、コラボ企画情報テーブル（コラボ企画情報格納部）１２４が設けられている。
【００２４】
上記ユーザ情報テーブル１２１は、ユーザ情報を格納するデータ領域であり、イニシャルＩＤとして「ユーザＩＤ」を有し、その他のフィールドとして、そのユーザの名前や名称を格納する「ユーザ名」と、そのユーザが本企画支援システムを利用する際に求められるパスワードを格納する「パスワード」と、そのユーザの住所等の具体的な情報を格納する「詳細情報」とを有している。
【００２５】
上記要素情報テーブル１２２は、前記要素情報を格納するデータ領域であり、イニシャルＩＤとして「要素ＩＤ」を有し、その他のフィールドとして、その要素の名称を格納する「要素名」と、その要素である資源、産品、技術、伝統、イベント、文化、人材、問題又は事業が存在する地域の情報を格納する「地域情報」と、その要素のカテゴリ（例えば、資源、産品、技術、伝統、イベント、文化、人材、問題又は事業の９つ、或いはこれらをさらに細分化したもの）の情報を格納する「カテゴリ」と、その要素（資源、産品、技術、伝統、イベント、文化、人材、問題又は事業）の詳細情報を格納する「詳細情報」と、その要素を提供したユーザ（提供者）のイニシャルＩＤを格納する「ユーザＩＤ」とを有している。
【００２６】
すなわち、ユーザ情報テーブル１２１と、要素情報テーブル１２２とは、一対多のリレーションシップが設定されている。また、要素情報は、上記構成によって、地域の資源、産品、技術、伝統、イベント、文化、人材、問題又は事業が、該地域と関連付けされている。
【００２７】
上記企画情報テーブル１２３は、企画情報を格納するデータ領域であり、イニシャルＩＤとして「企画ＩＤ」を有し、その他のフィールドとして、企画名を格納する「企画名」と、その企画のカテゴリ（例えば、商品若しくはサービス又はこれらを組合せの３つ、或いはこれらをさらに細分化したもの）の情報を格納する「カテゴリ」と、その企画の基になった要素情報のイニシャルＩＤを格納する「要素ＩＤ」と、その企画の詳細情報を格納する「詳細情報」と、その企画を行ったユーザ（企画者）のイニシャルＩＤを格納する「ユーザＩＤ」とを有している。
【００２８】
すなわち、要素情報テーブル１２２と、企画情報テーブル１２３とは、一対多のリレーションシップが設定されている。また、ユーザ情報テーブル１２１と、企画情報テーブル１２３とも、一対多のリレーションシップが設定されている。
【００２９】
ちなみに、一の企画情報は、一の要素情報に基づいて企画することも可能であるが、複数の要素情報を組合せて企画することも可能であるため、企画情報テーブル１２３には、複数の「要素ＩＤ」がフィールドとして個別に設けられている。この「要素ＩＤ」の数は、組合せが想定される十分な数が確保されており、図示する例では、ｎ個になっている。
【００３０】
なお、一又は複数の要素情報に基づいて、商品若しくはサービス又はこれらの組合せの企画情報を考えることも可能であるが、さらに、企画者は、複数の企画情報を組合せて商品若しくはサービス又はこれらの組合せの情報を、企画情報（コラボ企画情報）として、考えることも可能である。
【００３１】
このコラボ企画情報は、上述したコラボ企画情報テーブル１２４に格納される。すなわち、このコラボ企画情報テーブル１２４は、コラボ企画情報を格納するデータ領域である。該コラボ企画情報テーブル１２４は、イニシャルＩＤとして「コラボ企画ＩＤ」を有し、その他のフィールドとして、コラボ企画名を格納する「コラボ企画名」と、そのコラボ企画のカテゴリ（例えば、商品若しくはサービス又はこれらを組合せの３つ、或いはこれらをさらに細分化したもの）の情報を格納する「カテゴリ」と、その企画の基になった企画情報のイニシャルＩＤを格納する「企画ＩＤ」と、そのコラボ企画の詳細情報を格納する「詳細情報」と、そのコラボ企画を企画したユーザ（企画者）のイニシャルＩＤを格納する「ユーザＩＤ」とを有している。
【００３２】
すなわち、企画情報テーブル１２３と、コラボ企画情報テーブル１２４とは、一対多のリレーションシップが設定されている。また、ユーザ情報テーブル１２１と、コラボ企画情報テーブル１２４とも、一対多のリレーションシップが設定されている。
【００３３】
ちなみに、一のコラボ企画情報は、複数の企画情報を組合せて企画されるため、コラボ企画情報テーブル１２４には、複数の「企画ＩＤ」がフィールドとして個別に設けられている。この「企画ＩＤ」の数は、組合せが想定される十分な数が確保されており、図示する例では、ｎ個になっている。
【００３４】
図４は、本企画支援システムの処理内容を示すフロー図である。同図に示す企画支援システムでは、まず、提供者が提供者情報端末３Ａによって、ネットワーク２を介して、自己の知りうる要素情報を、企画支援サーバ１に提供する要素情報提供処理（Ｓ１）を行う。
【００３５】
企画支援サーバ１は、提供者情報端末３Ａからの要素情報を取得して自身の記憶装置１２（要素情報テーブル１２２）に記憶する要素情報取得処理（Ｓ２）を行う。言換えると、制御部１１には、要素情報取得処理を行う要素情報取得手段が設けられている。
【００３６】
続いて、企画者は、企画者情報端末３Ｂによって、ネットワーク２を介し、自身が商品若しくはサービス又はこれらを組合せて企画する際に活用できそうな活用情報を要求する活用情報要求処理（Ｓ３）を、企画支援サーバ１に対して行う。
【００３７】
前記活用情報には、一又は複数の要素情報と、複数の企画情報との少なくとも何れか一方が含まれる。これらの情報は、企画者が、通常の企画情報又はコラボ企画情報を企画するために必要な状態である。
【００３８】
前記活用情報要求処理には、その企画者がどのような商品若しくはサービス又はこれらの組合せの企画を行う予定であるかに関する情報や、どのような地域の要素情報が希望するかの情報や、どのようなカテゴリの要素情報や企画情報を希望するかの情報や、どのような提供者又は企画者の情報を希望するかの情報等を含めてもよい。
【００３９】
企画支援サーバ１は、企画者情報端末３Ｂからの活用情報要求処理を受付けると、記憶装置１２に記憶された一又は複数の要素情報、或いは複数の企画情報を、活用情報として、ネットワーク２を介して、企画者情報端末３Ｂに提供する活用情報提供処理（Ｓ６）を行う。言換えると、制御部１１には、活用情報提供処理を行う活用情報提供手段が設けられている。
【００４０】
ちなみに、企画支援サーバ１は、どのような活用情報を企画者情報端末３Ｂに提供するかを、上述の活用情報要求の内容に基づいて選定する活用情報選定処理（Ｓ５）を、活用情報提供処理の前に行う。言換えると、制御部１１には、活用情報提供処理を行う活用情報選定手段が設けられている。
【００４１】
この活用情報選定手段によれば、企画者は、コラボ企画情報又は企画情報を企画するにあたり、自己の活用情報要求に基づいて選定された活用情報を確認すればよいため、要素情報テーブル１２２に格納された全ての要素情報や、企画情報テーブル１２３に格納された全ての企画情報を確認する場合と比べ、手間が軽減され、効率的に企画を行うことが可能になる。
【００４２】
さらに、活用情報選定手段で効率的に活用情報を選定するため、企画支援サーバ１は、要素情報テーブル１２２に格納された複数の要素情報中から、魅力的な企画情報の企画を行えそうな要素情報同士をマッチングするか、或いは、企画情報テーブル１２３に格納された複数の企画情報中から、魅力的なコラボ企画情報の企画を行えそうな企画情報同士をマッチングするマッチング処理（Ｓ４）を、活用情報選定処理の前に行ってもよい。言換えると、制御部１１には、マッチング処理を行うマッチング手段が設けられている。
【００４３】
このマッチング処理の結果（マッチングの情報）は、活用情報提供手段によって、ネットワーク２を介し、企画者情報端末３Ｂに提供される。
【００４４】
続いて、企画者情報端末３Ｂは、企画支援サーバ１からネットワーク２を介して提供された活用情報を取得する活用情報取得処理（Ｓ７）を実行する。企画者は、自身が満足できる企画情報又はコラボ企画を企画できるまで、活用情報要求処理→マッチング処理→活用情報選定処理→活用情報提供処理→活用情報取得処理→活用情報要求処理→・・・と続く処理を繰返すことが可能である。
【００４５】
続いて、企画者は、この活用情報を活用して企画した企画情報又はコラボ企画情報を、企画者情報端末３Ｂによって、ネットワーク２を介して、企画支援サーバ１に提供する企画情報提供処理（Ｓ８）を行う。
【００４６】
続いて、企画支援サーバ１は、ネットワーク２を介して企画者情報端末３Ｂから提供された企画情報又はコラボ企画情報を取得して記憶装置１２（具体的には、企画情報テーブル１２３又はコラボ企画情報テーブル１２４）に記憶する企画情報取得処理（Ｓ９）を行う。言換えると、制御部１１には、企画情報取得処理を行う企画情報取得手段が設けられている。
【００４７】
企画支援サーバ１の制御部１１は、企画情報取得手段によって企画情報を取得すると、該企画情報に採用された要素情報を提供した提供者（ユーザ）に、企画に採用された旨の通知を行う通知手段を有している。
【００４８】
また、通知手段は、コラボ企画情報に採用された企画情報を企画した企画者（ユーザ）にも、コラボ企画に採用された旨の通知を行う。
【００４９】
さらに、利用者は、利用者端末３Ｃによって、ネットワーク２を介して、企画支援サーバ１にアクセスし、コラボ企画情報テーブル１２４に記憶されている一又は複数のコラボ企画情報、或いは、企画情報テーブル１２３に記憶されている一又は複数の企画情報を参照する。
【００５０】
そして、利用者は、開発、製造、販売を希望する企画情報又はコラボ企画情報があれば、その旨を、利用者情報端末３Ｃによって、ネットワーク２を介して、企画支援サーバ１に申入れる。このような申入れを受けた企画支援サーバ１は、申入れがあった企画情報又はコラボ企画情報を企画した企画者（ユーザ）にその旨を通知し、あとは、利用者と企画者とが当事者同士で協議を行う。
【００５１】
この企画者又は利用者は、そのコラボ企画情報のもとになった企画情報を企画した企画者や、その企画情報にもとになった要素情報を提供した提供者とも必要に応じてやり取りしながら、該企画の実現に向けた動きを加速させることも可能である。
【００５２】
なお、ユーザは、情報端末３により、ネットワーク２を介して、企画支援サーバ１とのやり取りを行うが、この企画支援サーバ１の入力手段１３及び出力手段１４を用いて、直接やり取りを行ってもよい。
【００５３】
具体的には、前記要素情報取得手段は、入力手段１３によって提供者から要素情報を取得するようにしてもよい。前記活用情報提供手段は、出力手段１４によって、企画者に活用情報を提供してもよい。前記企画情報取得手段は、入力手段１３によって企画者から企画情報又はコラボ企画情報を取得するようにしてもよい。
【００５４】
また、企画者は、企画情報を企画する際、企画情報テーブル１２３に記憶された既存の企画情報に、該企画情報には含まれていない新たな要素情報を加えて、一の企画情報とすることが可能である。
【００５５】
この際、既存の企画情報に既に含まれる要素情報は、その少なくとも一部を削除してもよいし、そのままとしてもよい。新たな要素情報を加えた企画情報は、新たな企画情報として、企画情報テーブル１２３に記憶してもよいし、或いは、前記既存の企画情報に置き換えて、企画情報テーブル１２３に記憶してもよい。例えば、新たな要素情報を加えた企画情報の企画者と、前記既存の企画情報の企画者とが異なるユーザである場合には前者を採用し、同一の場合には後者を採用してもよい。
【００５６】
このような企画情報の変更を行うため、活用情報提供手段は、企画者が企画情報を企画する場合でも、一又は複数の要素情報と共に、一又は複数の企画情報を、ネットワーク２を介して、該企画者の企画者情報端末３Ｂに提供するか、或いは出力手段１４によって該企画者に提供してもよい。
【００５７】
また、企画者は、コラボ企画情報を企画する際、コラボ企画情報テーブル１２４に記憶された既存のコラボ企画情報に、該コラボ企画情報には含まれていない新たな企画情報を加えて、一のコラボ企画情報とすることが可能である。
【００５８】
この際、既存のコラボ企画情報に既に含まれる企画情報は、その少なくとも一部を削除してもよいし、そのままとしてもよい。新たな企画情報を加えたコラボ企画情報は、新たなコラボ企画情報として、コラボ企画情報テーブル１２４に記憶してもよいし、或いは、前記既存のコラボ企画情報に置き換えて、コラボ企画情報テーブル１２４に記憶してもよい。例えば、新たな企画情報を加えたコラボ企画情報の企画者と、前記既存のコラボ企画情報の企画者とが異なるユーザである場合には前者を採用し、同一の場合には後者を採用してもよい。
【００５９】
このようなコラボ企画情報の変更を行うため、活用情報提供手段は、企画者がコラボ企画情報を企画する場合、複数の企画情報と共に、一又は複数のコラボ企画情報を、ネットワーク２を介して、該企画者の企画者情報端末３Ｂに提供するか、或いは出力手段１４によって該企画者に提供してもよい。
【００６０】
次に、図５及び図６に基づき、企画支援システムの別実施形態について説明する。
【００６１】
図５は別実施形態に係る企画支援サーバの記憶装置のデータ構造を概念的に説明する説明図である。同図に示す例では、提供者が提供する要素情報を格納する要素情報テーブル１２２が、提供者のユーザＩＤのフィールドとは別に、該提供者が該要素情報について通知して欲しいユーザ（通知先）のユーザＩＤを、フィールドとして有している。
【００６２】
図６は別実施形態に係る企画支援システムの処理内容を示すフロー図である。提供者は提供者端末３Ａによって、企画支援サーバ１に対して、自己が提供しようとする要素情報の参考となる要素情報である参考要素情報の要求する参考要素情報要求処理（Ｓ１０１）を実行する。
【００６３】
企画支援サーバ１は、提供者からの参考要素情報の要求に応じて、要素情報テーブル１２２中から該提供者の参考にされる参考要素情報を選定し、該提供者の提供者情報端末３Ａにネットワーク２経由で提要する参考要素情報提供処理（Ｓ１０２）を行う。この参考要素情報提供処理は、制御部１１の参考要素情報提供手段によって実行される。
【００６４】
この参考要素情報の選定は、提供者が通知先として指定されているか否か等の情報を利用して行われる。
【００６５】
提供者情報端末３Ａは、参考要素提供手段によって提供された一又は複数の参考要素情報を取得する参考要素情報取得処理（Ｓ１０３）を実行し、この参考要素情報を、自身の提供する要素情報の参考とする。
【００６６】
これらの企画支援システムによれば、ある地域において、特徴的な食品用の素材が存在していることが知られ、その素材そのもの又はその素材を加工してなる加工食品が販売されている場合に、これを有効に活用し、一次の生産者、二次の加工者、三次の販売者が一体となって総合的に販売活動を進めることが可能になる。また、これらの活動をツーリズムと結合させることも可能である。
【００６７】
さらに詳しく説明すると、地域に様々な有望な素材や種があることは知られているが、その活かし方や価値が分からない場合や、伝統的に云われてきていることであるにもかかわらず、それを利用してサービス展開又は商品展開できることに気が付いていない場合は多々ある。このような事態に陥る大きな原因の１つとして、広い知識と人脈を持つ総合的なコーディネータの不在が考えられる。
【００６８】
そこで、ネットワークを通じて総合的に分散している知識や能力を統合し、フィードバックを行うことにより、ネットワーク２で繋がれた多くの者がメリットを享受できるように、本企画支援システムが提供される。
【００６９】
本企画支援システムは、特に地域に特化し、地域の特徴を生かすことのできる民間主導の民産学官連携ネット、一種の小回りの利く総合商社的機能を有する。さらに、ヘルスヘア関連の商品又はサービスの企画については、総合商社的機能を有する本企画支援システムが大きな役割を果たすことが可能であり、この場合には、この企画支援システムが、ヘルスヘア企画支援システムとして利用される。
【００７０】
このヘルスヘア企画支援システムによれば、地域に昔から存在する植物、動物、微生物などの天然素材を有効に活用して、ヘルスヘア関連の魅力的な商品又はサービスの企画を支援することが可能になる。また、食材をどのように使用してきた等の要素情報や、伝統食の素材等の要素情報を活用したヘルスケア関連の商品やサービスの企画を支援することも容易になる。
【００７１】
この他、特定の地域で高齢者が小面積で栽培して採取したようなものも有効に活用することも容易になる。
【００７２】
また、食材の昔からの保存方法や加工方法や料理方法の情報や、食べ方の情報も知り得ることが容易になる。残った食材の回収や利用を促すことも可能になる。家庭菜園道具の作製と販売を、市場や周囲の環境とマッチングさせることも容易になる。
【００７３】
自然にかえる家庭菜園道具、植木鉢、プランター、紙、木質系材料や生分解性プラスチックなどや、土にかえる日干し陶器も有効に活用できる。これらについて、家庭や地域や状況に応じての機能性を向上させ、育種や栽培の適正化を図ることも可能である。
【００７４】
また、伝統的に健康に良いとされる素材や生薬漢方薬の活用も容易になる他、本企画支援システムによって構築される提供者同士のネットワーク、提供者と企画者のネットワーク、企画者同士のネットワークを構築可能になり、情報をフィードバックさせて医学的な検証等の種々の検証に利用することを行うことも可能になる。
【００７５】
さらに、この企画支援システムを用いれば、複数の国に跨る国際交流のネットワークや、異業種交流のネットワークや、異なる地域間のネットワークや、文化のネットワークや、歴史のネットワークなどの独自のネットワークを構築することも可能になり、これらのネットワークを活用すれば、農作業を、リハビリや運動不足の解消やメタボ対策等に役立て、健康維持やダイエット等のサービスを企画することも可能になる。また、これらのネットワークは、ＬＥＤの技術を有する会社と、作物工場やその他の農業を営む経営者や会社とを繋ぐ役割を発揮することもできる。さらに、これらの多種多様なネットワークは、食品等の特定の分野と、保存技術や酸化防止技術や伝統的な方法や最先端技術等を有する会社や人を繋ぎ、これらを活用することも容易にさせる。
【００７６】
一方、この企画視線システムによって、人材活用を効率的に行うこともできる。例えば、製造技術や製造フィールドの能力を有している人や、労働力提供可能な高齢者やパートの人や、古い知見やアイデアを提供できる人や、地域の特性、特徴若しくは特産の情報を提供できる人や、医療機関や大学医学部などとのパイプを有している人や、地域の産品を食品産業に限らない広い分野に応用・展開を行える人や、地域の食品産業に携わる企業にパイプのある人や、地域の食品産業以外の産業に携わる企業にパイプのある人や、地域を発信源とするマーケッテイング能力を有する個人又は企業や、金融界とのパイプ役を担える人を、本企画支援システムによって構築されたネットワークを介して集約し、これを活用することも可能になる。
【００７７】
そして、その結果企画された商品又はサービスによって生じた利益の一部は、その協力を行った個人や企業に還元してもよいし、或いはこれらの個人や企業に対して、その商品やサービスに係る製造権やライセンスを付与してもよい。
【００７８】
そして、この企画支援システムは、組織ネットワーク、情報フィードバック用のネットワーク、総合コーディネータ用のネットワーク、仕事依頼用のネットワーク、アイデア集約用のネットワーク、高齢者、離島、僻地の人材を活用するためのネットワーク、外国と繋がるネットワーク、研究、開発用のネットワーク、産学官連携ネットワーク、苦情対応サービス用のネットワーク、労働力提供用のネットワーク、製造能力提供用のネットワーク、解析、分析用のネットワーク、異業種融合用のネットワーク、マーケティング用のネットワーク、知財用のネットワーク、販路拡大用のネットワーク、金融用のネットワーク等にも応用可能である。
【００７９】
実際に企画可能な企画情報の事例を説明すると、例えば、古くからの出雲地域の人に親しまれていたものに鯖の塩辛があって、様々な食べ方があった。作り方は、鯖三杯に対して塩三杯を加え、一か月くらい置き、これを様々な食べ方で食す。美味しい食べ方は、塩辛鍋やすき焼きのようにして食べる食べ方であり、これは古くから知られている。このほか酒のつまみとして食べる食べ方もある。このような食べ方はイタリア料理等に利用することも可能である。
【００８０】
また、鯖の塩辛のレシピ例では、お酒のあてや、お茶漬けや、スパゲッティや、ピッツァに適用することも考えられる。また、鯖の塩辛を押圧してペースト状に形成し、これをつけて食べるようなことも考えられる。
【００８１】
また、栃の実を利用した例について説明すると、ドイツの道路には道路の両側に植えられた街路樹としての土地の木から栃の実が大量に落ちている。これはほとんど利用されていない。この栃の実は消臭効果などがあり、これを商品やサービスに利用することが考えられる。
【００８２】
また、キャパシタは竹や木材を利用することが可能であるため、竹や木材を焼成して得られる炭素材料を電極材料として利用可能である。
【００８３】
本企画支援システムによれば、これらの知識を集約し、この集約された知識を利用して、魅力的な商品又はサービスを企画することが可能になる。
【００８４】
また、高圧玄米は種々の健康促進の効果があることが見出されつつあり、この情報をヘルスケアの商品又はサービスの企画に活用することも、本企画支援システムを用いれば、容易になる。例えば、高圧技術の情報と、玄米の食べ方の情報等を集約して、課題を解決するような手法である。
【００８５】
また、アボガドの木の葉っぱには虫がつかない事実が家庭菜園等によって発見され、この発見を利用して商品が開発された例があるが、このような事例において、本企画支援システムを利用すれば、効率的で迅速な商品開発を行うことが可能になる。
【００８６】
様々な波長、強度、パルス形状のＬＥＤ光を用いて食品栽培や漁獲に利用する際には、本企画支援システムの情報集約力を利用すれば、対応が容易になる。
【００８７】
本企画支援システムによれば、色々な人から様々な課題やヒントが要素情報として集約され、これらの要素情報に基づいて新しいアイデアが生み出され、魅力的な商品又はサービスを企画される。
【００８８】
例えば、廃棄物、取り扱い難い物、分離困難な物でも、活用手段が見出せる可能性がある。また、毒草と考えられているような草から有効成分取り出せる可能性もある。さらに、人間には役に立たないかも知れないが、ペット用の品物や食品としての有意義なものがある。本企画支援システムの情報集約力を利用すれば、これらの有用な用途や機能を発見し、これを魅力的な商品又はサービスの企画に利用することも容易になる。
【００８９】
また、生薬、漢方薬に繋がる企画では、日本の生薬、中国の漢方薬をはじめ、にインド、中近東、イスラム圏、エジプト、ギリシャ、ローマ、ヨーロッパ、アフリカ、南北中南米など各地の伝統的な医学関連の記述伝承が知られており、本企画支援システムを利用すれば、これらを機能性食品開発の参考として用いることも容易になる。例えば、生薬、本草綱目、大同類聚方、神農本草経、黄帝内経、ユナニ医学、アーユルヴェーダ等がある。
【符号の説明】
【００９０】
１  企画支援サーバ（企画支援装置）
２  ネットワーク
３  情報端末
１２  記憶装置（記憶部）
１３  入力手段
１４  出力手段
【図１】
2019012421.tif 000003
【図２】
2019012421.tif 000004
【図３】
2019012421.tif 000005
【図４】
2019012421.tif 000006
【図５】
2019012421.tif 000007
【図６】
2019012421.tif 000008